(57)【要約】【課題】指紋照合装置に利用者の指紋を登録する場合、管理者が同行して指紋登録する必要をなくする。【解決手段】管理者の個人（ＩＤ）番号、利用者の個人番号及び有効期限を格納した登録用管理カード１３を設ける。指紋登録時、新規利用者は管理カード１３をＩＣカードＩ／Ｆ９に挿入しテンキー４を操作して新規利用者の個人番号を入力する。これで、管理者の個人番号、利用者の個人番号がメモリ８Ａの記憶内容と一致し、かつ現時刻が有効期限内であれば登録モードとなる。ここで、利用者は個人カードを挿入し、個人番号を入力し、指紋センサ２に指を置くと、指紋データと個人番号が新規利用者の個人カードに書き込まれる。【選択図】      図１
2005078443.tif 000002
【特許請求の範囲】
【請求項１】
登録モードが設定された状態で、利用者が所定の操作を実行すると、上記利用者の指紋が上記利用者の個人番号と共に上記利用者の個人カードに書き込まれ、この個人カードにより指紋照合を実行する装置において、管理者の個人番号及び上記利用者の個人番号が格納された登録用管理カードを設け、この登録用管理カードが挿入され、かつ上記利用者の個人番号が入力されると、上記登録用管理カードに書き込まれた上記管理者の個人番号及び上記入力された利用者の個人番号が共に正であると判定すると、上記登録モードを設定する登録モード設定手段を備えたことを特徴とする指紋登録装置。
【請求項２】
登録モードが設定された状態で、利用者が所定の操作を実行すると、上記利用者の指紋が上記利用者の個人番号と共に上記利用者の個人カードに書き込まれ、この個人カードにより指紋照合を実行する装置において、管理者の個人番号及び上記利用者の個人番号が格納された登録用管理カードを設け、この登録用管理カードが挿入されると、これに書き込まれた上記管理者の個人番号が、あらかじめ記憶された個人番号と一致するかを判定する管理者判定手段と、上記利用者の個人番号が入力され、これがあらかじめ記憶された個人番号及び上記登録用管理カードに書き込まれた個人番号と一致するかを判定する利用者判定手段と、上記管理者判定手段及び上記利用者判定手段が共に上記一致と判定されると上記登録モードを設定する登録モード設定手段を備えたことを特徴とする指紋登録装置。
【請求項３】
管理者の個人番号及び利用者の個人番号を送信する管理装置をネットワークを介して接続し、管理者判定手段を、登録用管理カードが挿入されると、これに書き込まれた上記管理者の個人番号が上記管理装置から送信された管理者の個人番号と一致するかを判定するものとし、利用者判定手段を、上記利用者の個人番号が入力されると、これが上記管理装置から送信された上記利用者の個人番号と一致するかを判定するものとしたことを特徴とする請求項２記載の指紋登録装置。
【請求項４】
管理装置をネットワークを介して接続する代わりに、Ｄｏｐａ網を使用して接続するものとしたことを特徴とする請求項３記載の指紋登録装置。
【請求項５】
登録用管理カードにその有効期限を格納し、登録モード設定手段を、上記登録用管理カードの挿入時刻が上記有効期限内であり、かつ管理者判定手段及び利用者判定手段がそれぞれ一致と判定されると登録モードを設定するものとしたことを特徴とする請求項２〜請求項４のいずれかに記載の指紋登録装置。
【発明の詳細な説明】
【技術分野】
【０００１】
この発明は、利用者の指紋データが格納された個人カードにより、指紋照合を実行する指紋照合装置に関するものである。
【背景技術】
【０００２】
従来の鍵管理装置では、指置き部から入力された指紋データとあらかじめ登録された指紋データとを照合して、両者の一致又は不一致を判定し、この判定結果に応じて鍵保管箱に対する鍵の取出し又は保管を許可する装置において、特定の管理者の指紋データに対応する上記鍵保管箱の番号を記録した番号記録装置を設け、管理モードが設定されると、上記特定の管理者に対してその管理する鍵保管箱への上記入力された指紋データの登録及び上記登録指紋データの削除を許可する登録・削除許可手段を備えた構成になっている（例えば、特許文献１参照）。
【０００３】
【特許文献１】特開２００２−２５６７４８号公報（請求項４、図４、図５）
【発明の開示】
【発明が解決しようとする課題】
【０００４】
上記のような従来の鍵管理装置では、新規利用者の指紋データを登録する場合、管理者が同行して指紋照合することが必要となる。また、新規利用者が遠隔地にいる場合や、管理者が指紋照合装置のある場所に同行できない場合には、指紋デーが登録できないという問題点がある。
【０００５】
この発明は上記問題点を解消するためになされたもので、管理者の同行を必要とせず、また新規利用者や管理者に場所的な事情がある場合でも、容易に指紋登録ができるようにした指紋照合装置を提供することを目的とする。
【課題を解決するための手段】
【０００６】
この発明に係る指紋照合装置は、管理者の個人番号及び利用者の個人番号が格納された登録用管理カードが挿入され、かつ利用者の個人番号が入力されたとき、登録用管理カードに書き込まれた管理者の個人番号及び入力された利用者の個人番号が共に正であると判定すると、指紋の登録モードが設定されるようにしたものである。
【発明の効果】
【０００７】
この発明は、上記のように構成されているので、通行を許可する新規利用者の指紋データを登録する場合、管理者の同行を不要とし、新規利用者だけで容易に操作することができる。
【発明を実施するための最良の形態】
【０００８】
実施の形態１．
図１及び図２は、この発明の第１、第２及び第５発明のー実施の形態を示す図で、図１は指紋照合装置のブロック線図、図２は登録動作フローチャートであり、図中同一符号は同一部分を示す。
図１において、指紋照合装置１Ａには、指紋センサ２，表示装置３，テンキー４、登録ボタン５、照合ボタン６、時計７、メモリ８Ａ、ＩＣカードＩ／Ｆ（インターフーイス）９、電気錠Ｉ／Ｆ１０がＣＰＵ１１に接続されている。
【０００９】
指紋センサ２は指紋を読み取り、表示装置３は利用者に対して指紋登録操作の手順等を案内する。テンキー４は利用者の個人番号（以下ＩＤ番号という）等を入力するときに用いられる。登録ボタン５は指紋登録に先立って操作されるボタン、照合ボタン６は指紋照合に先立って操作されるボタン、時計７は現在時刻を出力する。メモリ８Ａには事前に管理者のＩＤ番号と新規利用者のＩＤ番号が書き込まれる。ＩＣカードＩ／Ｆ９はＩＣカード（個人カード）１２に格納されている指紋データを読み書きする。
【００１０】
電気錠Ｉ／Ｆ１０は部屋の扉等の錠に接続されており、その解錠を制御する。登録用管理カード１３には、管理者ＩＤ番号、新規利用者ＩＤ番号及び有効期限が事前に書き込まれる。
【００１１】
次に、この実施の形態の動作を図２を参照して説明する。
指紋を登録しようとする新規利用者は、ステップＳ１で登録ボタン５を押す。次に、ステップＳ２で登録用管理カード１３をＩＣカードＩ／Ｆ９に挿入すると、登録用管理カード１３内に書き込まれている管理者ＩＤ番号、新規利用者ＩＤ番号及び有効期限が読み取られる。読み取られた管理者ＩＤ番号は、ステップＳ３でメモリ８Ａ内の管理者ＩＤ番号と比較され、両者が一致すればステップＳ４へ進む。
【００１２】
ステップＳ４で同様に有効期限が時計７の出力である現時刻と比較され、条件を満たしていればステップＳ５へ進む。また、ステップＳ３及びＳ４で条件が満足されなければ処理は終了する。ステップＳ５へ進むと、新規利用者は、テンキー４を操作して新規利用者
ＩＤ番号を入力する。この入力された新規利用者ＩＤ番号はステップＳ６で登録用管理カード１３内の新規利用者ＩＤ番号とメモリ８Ａ内の新規利用者ＩＤ番号と比較され、両者がいずれも一致しなければ処理は終了し、一致すればステップＳ７へ進んで、登録モードに切り換えられる。
【００１３】
指紋登録モードに切り換えられると、ステップＳ８で新規利用者は、自分のＩＣカード１２をＩＣカードＩ／Ｆ９に挿入し、ステップＳ９で表示装置３により表示される操作手順を見ながら、テンキー４を操作して新規利用者のＩＤ番号を入力する。ステップＳ１０
で新規利用者は自分の指紋を指紋センサ１に読み取らせる。そして、ステップＳ１１でＣＰＵ１１はＩＣカードＩ／Ｆ９を介して、指紋データとＩＤ番号を新規利用者のＩＣカード１２に書き込む。これで、指紋登録は終了する。
【００１４】
そして、電気錠解錠のため指紋を照合しようとする利用者は、照合ボタン６を押し、ＩＣカード１２をＩＣカードＩ／Ｆ９に挿入し、テンキー４を操作して利用者ＩＤ番号を入力し、かつ指紋センサ１に指紋を読み取らせる。これで、ＣＰＵ１１はＩＣカード１２内に格納されている指紋データと照合し、指紋データが一致すれば、電気錠Ｉ／Ｆ１０を介して扉の電気錠を解錠する。なお、照合動作はこの発明と直接関係はないので、詳細な説明は省略する。
【００１５】
ここで、ステップＳ２、Ｓ３は管理者判定手段を、ステップＳ２，Ｓ５，Ｓ６は利用者判定手段を、ステッップＳ７は登録モード設定手段を構成している。
このようにして、登録用管理カード１３に格納されたデータから、管理者及びこの管理カード１３の有効期限を判定し、テンキー４からの入力による利用者を判定し、すべてが「正」であれば登録モードを設定するようにしたため、通行を許可する新規利用者の指紋データを登録する場合、管理者の同行を不要とすることが可能となる。
【００１６】
また、新規利用者が遠隔地にいる場合や、管理者が指紋照合装置１Ａのある場所に同行できない場合にも、登録用管理カード１３及び個人カード１２を郵送することにより、指紋登録を容易にすることが可能となる。
【００１７】
実施の形態２．
図３及び図４は、この発明の第３発明の一実施の形態を示す図で、図３は、指紋照合装置のブロック線図、図４は登録動作フローチャートである。
図３の指紋照合装置１Ｂは、図１のものに管理装置１５，ネットワーク１６及びネットワークＩ／Ｆ１７を追加し、メモリ８Ａに代えてメモリ８Ｂを設けたものであり、メモリ８Ｂ及びネットワークＩ／Ｆ１７はＣＰＵ１１に接続され、ネットワークＩ／Ｆ１７には、ネットワーク１６を介して管理装置１５が接続されている。メモリ８Ｂには管理装置１５から送信された管理者ＩＤ番号、新規利用者ＩＤ番号及び有効期限が格納されている。
【００１８】
次に、この実施の形態の動作を図４を参照して説明する。
図４は図２のステップＳ１の前にステップＳ２１を設け、ステップＳ６をステップＳ２２に置換したものであり、他は図２と同様であるので、ステップＳ２１，Ｓ２２について説明する。
ステップＳ２１では、管理装置１５からネットワークＩ／Ｆ１７を経由して管理者ＩＤ番号、新規利用者ＩＤ番号及び有効期限を受信し、これらをメモリ８Ｂに格納する。
【００１９】
以下、ステップＳ１〜Ｓ５と進み、ステップＳ２２でテンキー４入力の新規利用者ＩＤ番号は、登録用管理カード１３内及びメモリ８Ｂ内の新規利用者ＩＤ番号と比較され、それぞれ両者が一致すれば、ステップＳ７で登録モードに切り換えられる。そして、ステップＳ８〜Ｓ１１で指紋データとＩＤ番号が新規利用者のＩＣカード１２に書き込まれる。
このようにして、指紋照合装置１Ｂはネットワーク１６を介して管理装置１５に接続されているため、管理装置１５により指紋照合装置１Ｂを管理することが可能となる。
【００２０】
実施の形態３
図５及び図６は、この発明の第４発明の一実施の形態を示す図で、図５は指紋照合装置のブロック線図、図４は登録動作フローチャートである。
図５の指紋照合装置１Ｃは、図３のネットワーク１６をＤｏｐａ網（電話回路網）１８に、ネットワークＩ／Ｆ１７をＤｏｐａＩ／Ｆ１９に置換したものである。
【００２１】
この実施の形態動作は、図６に示されているが、この動作は図４のステップＳ２１をステップＳ３１に、ステップＳ２２をステップＳ３２に置換したものである。すなわち、ステップＳ３１では、管理装置１５からＤｏｐａ網１８を経由して管理者ＩＤ番号、新規利用者ＩＤ番号及び有効期限を受信し、これらをメモリに格納する。以下は図６と同様である。
このようにして、指紋照合装置１ＣはＤｏｐａ網１８を介して管理装置１５に接続されているため、遠隔地にいる新規利用者でも容易に指紋登録することが可能となる。
【図面の簡単な説明】
【００２２】
【図１】この発明の実施の形態１を示す指紋照合装置のブロック線図。
【図２】この発明の実施の形態１を示す登録動作フローチャート。
【図３】この発明の実施の形態２を示す指紋照合装置のブロック線図。
【図４】この発明の実施の形態２を示す登録動作フローチャート。
【図５】この発明の実施の形態３を示す指紋照合装置のブロック線図。
【図６】この発明の実施の形態３を示す登録動作フローチャート。
【符号の説明】
【００２３】
１Ａ〜１Ｃ  指紋照合装置、２  指紋センサ、３  表示装置、４  テンキー、５  登録ボタン、７  時計、８Ａ〜８Ｃ  メモリ、１１  ＣＰＵ、１２  ＩＣカード（個人カード）、１３  登録用管理カード、１５  管理装置、１６  ネットワーク、１７  ネットワークＩ／Ｆ、１８  Ｄｏｐａ網、１９  ＤｏｐａＩ／Ｆ。
Ｓ２，Ｓ３  管理者判定手段、Ｓ２，Ｓ５，Ｓ６  利用者判定手段、Ｓ７  登録モード設定手段。
【図１】
2005078443.tif 000003
【図２】
2005078443.tif 000004
【図３】
2005078443.tif 000005
【図４】
2005078443.tif 000006
【図５】
2005078443.tif 000007
【図６】
2005078443.tif 000008